(57)【要約】【課題】  本発明は、搬送ダクトの分岐部にて確実に茶生葉を左右に振り分け、茶生葉の引っ掛かりによる搬送不良や詰まりを確実に防止することを課題としている。【解決手段】本発明の第１手段は、茶生葉を刈り取る刈刃と、刈り取った茶生葉を上方へ搬送する途中に分岐部を有する搬送ダクトとを備え、該搬送ダクトの前記分岐部に回転自在な回転体を設けることとを特徴とする茶刈機。【選択図】図１
2015220996.tif 000002
【特許請求の範囲】
【請求項１】
茶生葉を刈り取る刈刃と、刈り取った茶生葉を上方へ搬送する途中に分岐部を有する搬送ダクトとを備え、該搬送ダクトの前記分岐部に回転自在な回転体を設けることとを特徴とする茶刈機。
【請求項２】
前記回転体を回転させるための駆動手段を設けることを特徴とする請求項１記載の茶刈機。
【請求項３】
前記回転体は刈刃の駆動と連動し、回転駆動を行なうことを特徴とする請求項２記載の茶刈機。
【発明の詳細な説明】
【技術分野】
【０００１】
本発明は、刈り取った茶生葉を上方へ搬送する茶刈機に関するものであり、詳しくは、茶生葉を良好に搬送することに関するものである。
【背景技術】
【０００２】
茶刈機の茶生葉を収容する形態としては茶袋とコンテナがあり、主として、茶袋へ収容する場合は茶生葉を略水平に搬送し、コンテナへ収容する場合は上方へ茶生葉を搬送する搬送ダクトを具えている。この搬送ダクト内で茶生葉を搬送するときには、特許文献１のように、送風ファンにより発生した圧力風を輸送（搬送）ダクトの下端の吹出口から吹出して、圧力風の作用により茶生葉を茶葉収容装置まで誘導する。送風ファンより発生する圧力風を輸送（搬送）ダクトの下端にある吹出口まで取回すために、送風ファンの配置の都合により、現状の搬送ダクト内は途中で幅方向に分岐する形状となっている。
【０００３】
特許文献１のような従来の分岐部は、図７のような鋭角形状をするため、分岐部に茶生葉が引っ掛かりやすかった。ここには、茶生葉が１本引っかかると、それを基として次から次に引っかかり、あっという間に塊になり、刈刃付近まで詰まり、茶刈ができなくなってしまう。すると、茶畑の途中で茶畝を挟んだままの状態で茶刈作業を中断し、詰まった茶生葉を取り除かなければならなかった。
【０００４】
そこで、これらの対策として特許文献２があり、これは、分岐部の形状を滑らかなＲ状とし、そこへ補助吹出口から補助背面風を茶生葉に吹き付けることにより、茶生葉をスムーズに左右に振り分けることが記載されている。
【先行技術文献】
【特許文献】
【０００５】
【特許文献１】特開２００４−１５４０２１号公報
【特許文献２】特開２０１０−１３６６６５号公報
【発明の概要】
【発明が解決しようとする課題】
【０００６】
上記特許文献２は補助背面風のみによる作用のために効果が確実ではなく、茶生葉が大きい場合や、茶生葉の量が多い場合には、搬送不良が発生していた。
【０００７】
本発明は、搬送ダクトの分岐部にて確実に茶生葉を左右に振り分け、茶生葉の引っ掛かりによる搬送不良や詰まりを確実に防止することを課題としている。
【課題を解決するための手段】
【０００８】
本発明の第１手段は、茶生葉を刈り取る刈刃と、刈り取った茶生葉を上方へ搬送する途中に分岐部を有する搬送ダクトとを備え、該搬送ダクトの前記分岐部に回転自在な回転体を設けることとを特徴とする茶刈機。
第２手段は、上記第１手段の茶刈機において、前記回転体を回転させるための駆動手段を設ける。
第３手段は、上記第２手段の茶刈機において、前記回転体は刈刃の駆動と連動し、回転駆動を行なう。
【発明の効果】
【０００９】
本発明の回転体により、茶生葉を物理的かつ確実に左右に振り分けることができ、分岐部へ茶生葉が引っ掛かることによる搬送ダクト内の詰まりを予防し、茶刈り中に茶刈機を停止することを防止することができる。これにより、スムーズで良好な茶刈作業をすることができる。
【図面の簡単な説明】
【００１０】
【図１】図１は茶刈機全体の実施方法の一例を示した斜視図である。
【図２】図２は茶刈機の主要部の一例を示した斜視図である。
【図３】図３は茶刈機の主要部の一例を示した側面一部破断図である。
【図４】図４は茶刈機の主要部の一例を示した正面一部破断図である。
【図５】図５は実施方法の一例を示した作用図である。
【図６】図６は回転体の具体例を示した説明図である。
【図７】図７は従来の搬送ダクトを示した説明図である。
【発明を実施するための形態】
【００１１】
図面に基づいて説明をする。茶刈機１は、茶畝２０を挟んで２本のクローラ型の走行装置２、３を門型枠４でつなぎ、門型枠４の下に刈刃２１を有する刈取装置５を設けてある。刈取装置５の後方には、茶葉収容コンテナ６を設けてある。刈取装置５と茶葉収容コンテナ６は搬送ダクト７、８Ａ、８Ｂで着脱自在につながっており、搬送ダクト８Ａ、８Ｂの先端の吐出口１３は茶葉収容コンテナ６の上部に位置する。門型枠４の上には、送風ファン９、１０が設置してあり、フレキシブルな送風ダクト１１、１２で搬送ダクト７の下端の吹出口１４へ接続され、茶生葉Ｔを風送している。
【００１２】
２１はバリカン型の刈刃であり、上下２枚の刈刃２１が畝幅方向に往復運動し、茶生葉を切断する構造となっている。刈刃２１の上には、回転軸２２を中心として回転する回転体２３が設けてあり、回転体２３の先端にはブラシ２４が取り付けてある。
【００１３】
搬送ダクト７の分岐部１５に回転体１６を回転自在に固定する。本実施例では、電動モータ１７の駆動手段を用いて回転させる。駆動手段を設けずに、この回転体１６に茶生葉Ｔが当たった衝撃や、圧力風によって回転させるようにしてもよい。また、駆動手段は上記電動モータ１７に限定するものではなく、刈刃２１を往復運動させる駆動手段を利用してもよい。刈刃２１の駆動手段を利用すれば、回転体１６は刈刃２１と連動することになり、独自に駆動させる手間や忘れることがなくなる。
【００１４】
具体的には、刈取装置５は茶畝２０全巾にわたる刈刃２１により茶生葉の刈取りを行ない、刈取装置５にて刈り取られた茶生葉Ｔは、搬送ダクト７の下端の吹出口１４より吹き出る圧力風の作用により搬送ダクト７へと誘導され、搬送ダクト７全巾に広がり搬送される。このとき、搬送ダクト７の幅方向の中央部を搬送されている茶生葉Ｔは分岐部１５に接触する。接触する際、茶生葉Ｔの長さ方向の中央付近で分岐部１５にあたった茶生葉Ｔは、左右どちらにも振り分けられることができず、分岐部１５へ引っかかってしまう。本発明では、この引っ掛かる茶生葉Ｔに対し、回転体１６の回転作用により、左右どちらかの搬送ダクト８Ａ、８Ｂへ物理的にかつ確実に搬送する。本実施例では図５のように回転体が回転し、右の搬送ダクト８Ｂへ茶生葉Ｔが搬送されるが、回転方向はこの実施例の限りではない。回転体１６の回転作用がない場合、茶生葉Ｔは圧力風により回転体１６へ押し付けられ続けるのみである。
【００１５】
本実施例では、刈刃装置５に回転体２３を設けて刈り取った茶生葉Ｔを搬送ダクト７への誘導をして、吹出口１４より吹出す圧力風により茶生葉を搬送したが、この限りではない。
【００１６】
図６に回転体１６の具体例を示す。（Ａ）は円柱状の回転体１６Ａ、（Ｂ）は中空の回転体１６Ｂ、（Ｃ）は円柱状の回転自在なブラシ１９Ａ、（Ｄ）はスパイラル形状の回転自在なブラシ１９Ｂである。回転体はこの具体例の限りではない。
【００１７】
本発明の茶刈機１では、茶葉収容コンテナ６へ茶生葉を収容したが、茶袋を吐出口１３へ設けて、茶袋へ収容することも可能である。また、茶生葉を上方へ搬送した後、茶畝２０の畝間へ落とすこともある。
【００１８】
本実施例では、搬送ダクト７は２経路に分割されて分岐部１５は１ヶ所だったが、この限りではなく、分岐部１５が複数であっても同様である。
【符号の説明】
【００１９】
１    茶刈機
２    走行装置
３    走行装置
４    門型枠
５    刈取装置
６    茶葉収容コンテナ
７    （分岐前の）搬送ダクト
８Ａ    （分岐後の）搬送ダクト
８Ｂ    （分岐後の）搬送ダクト
９    送風ファン
１０    送風ファン
１１    送風ダクト
１２    送風ダクト
１３    吐出口
１４    吹出口
１５    分岐部
１６    回転体
１６Ａ    回転体
１６Ｂ    回転体
１７    電動モータ
１８    回転軸
１９Ａ    ブラシ
１９Ｂ    ブラシ
２０    茶畝
２１    刈刃
２２    回転軸
２３    回転体
２４    ブラシ
Ｔ    茶生葉
【図１】
2015220996.tif 000003
【図２】
2015220996.tif 000004
【図３】
2015220996.tif 000005
【図４】
2015220996.tif 000006
【図５】
2015220996.tif 000007
【図６】
2015220996.tif 000008
【図７】
2015220996.tif 000009